(57)【特許請求の範囲】
【請求項１】
外郭を形成するボディ部と、煙濃度を感知する煙検出用光学部とを有する煙感知器において、前記煙検出用光学部をボディ部に内設するとともに、ボディ部側面に設けたスリットと、一端を前記煙検出用光学部に近接させて煙検出用光学部の周囲に放射状に、かつボディ内部に設けた煙導入板と、を有し、前記スリットは、隣接する前記煙導入板の間に複数が設けられることを特徴とする煙感知器。
【請求項２】
前記スリットは、煙感知器を立面に取り付けた場合に前記煙検出用光学部の上方に位置するボディ部側面であって煙検出用光学部の上方に位置する複数の煙導入板の煙検出用光学部に近接する側の一端間の隙間に重合する部分以外の、ボディ部側面に設けたことを特徴とする請求項１記載の煙感知器。
【請求項３】
前記各スリットを構成するボディ部側面の両側開口部のうち、ボディ部の外側面の開口部について、開口部縁部のうち煙検出用光学部から遠い部分をさらに遠ざかる方向に拡大して該開口部を大きくしたことを特徴とする請求項１又は請求項２記載の煙感知器。
【発明の詳細な説明】
【０００１】
【発明の属する技術分野】
本発明は、室内の天井や壁面などに取り付けられ、火災等の煙を感知して発報する煙感知器に関する。
【０００２】
【従来の技術】
従来の技術の煙感知器を図５を用いて説明する。図５は煙感知器の外観を示す斜視図である。
【０００３】
図５において、煙感知器は、ボディ部１、煙検出用光学部２、警報ブザー３、警報表示灯４、警報キャンセル用押釦５、警報キャンセル用引き紐６を有して構成されている。
【０００４】
ボディ部１は、煙感知器の外郭を形成する箱体であって、天井や壁面に取り付けられている不図示のベースを介して天井や壁面に取り付けられる。
【０００５】
煙検出用光学部２は、ボディ部１の正面１ａの略中央部分に配設されており、周囲の煙濃度を計測するものである。煙検出用光学部２は大略筒体の防虫網２ａ及び該防虫網２ａに内設される光学ブロックより構成されている。光学ブロックは、空気は流入できるが光は内部に差し込まない構造となっている暗室及び、暗室内に設けられた発光ダイオードとフォトダイオードとよりなる。発光ダイオードとフォトダイオードとは光軸をずらして配置されており、フォトダイオードは、外部から暗室内に侵入した煙によって乱反射した発光ダイオードの光を受ける。発光ダイオードは該受光量により煙濃度を計測する。
【０００６】
警報ブザー３は、煙検出用光学部２の計測する煙濃度が一定濃度以上であれば、鳴動して周囲に煙が発生していることを報知するものである。
【０００７】
警報表示灯４は、ＬＥＤ等で構成されており、煙検出用光学部２の計測する煙濃度が一定濃度以上であれば、点灯して周囲に煙が発生していることを報知するものである。
【０００８】
警報キャンセル用押釦５及び警報キャンセル用引き紐６は、警報ブザー３の鳴動を停止させ、警報表示灯４を消灯させるものである。警報キャンセル用押釦５及び警報キャンセル用引き紐６は、煙感知器が誤発報したとき、あるいは煙感知器の点検時等に使用される。
【０００９】
以上のようにして構成された煙感知器は、天井や壁面に取り付けられて、煙の発生を検出すると鳴動及び点灯して、煙の発生を報知する。
【００１０】
【発明が解決しようとする課題】
しかしながら、上述の図５に示すに煙感知器あっては、壁面等の立面に取り付けられる場合があるが、立面に取り付けられた場合には、煙検出用光学部２の側面、即ち、防虫網２ａの一部が重力の方向に対して直交するようになる。従って、室内の塵埃が重力によって舞い降りてくると、該塵埃は防虫網２ａに堆積するとともに、防虫網２ａの網目を通り抜けて、光学ブロック内部に侵入する。該侵入した塵埃は、煙粒子よりも遙かに大きいので、発光ダイオードから投光される光は該塵埃に反射して実際には光学ブロック内に煙が存在しなくとも発報してしまう場合があるという問題点があった。
【００１１】
本発明は、上記問題点を改善するために成されたもので、その目的とするところは、壁面に取り付けた場合であっても、誤発報の少ない煙感知器を提供することにある。
【００１２】
【課題を解決するための手段】
本発明は上記の問題を解決するために、請求項１記載の発明にあっては、外郭を形成するボディ部と、煙濃度を感知する煙検出用光学部とを有する煙感知器において、前記煙検出用光学部をボディ部に内設するとともに、ボディ部側面に設けたスリットと、一端を前記煙検出用光学部に近接させて煙検出用光学部の周囲に放射状に、かつボディ内部に設けた煙導入板と、を有し、前記スリットは、隣接する前記煙導入板の間に複数が設けられることを特徴とするものである。
【００１３】
請求項２記載の発明にあっては、前記スリットは、煙感知器を立面に取り付けた場合に前記煙検出用光学部の上方に位置するボディ部側面であって煙検出用光学部の上方に位置する複数の煙導入板の煙検出用光学部に近接する側の一端間の隙間に重合する部分以外の、ボディ部側面に設けたことを特徴とするものである。
【００１４】
請求項３記載の発明にあっては、前記各スリットを構成するボディ部側面の両側開口部のうち、ボディ部の外側面の開口部について、開口部縁部のうち煙検出用光学部から遠い部分をさらに遠ざかる方向に拡大して該開口部を大きくしたことを特徴とするものである。
【００１５】
【発明の実施の形態】
本発明にかかる煙感知器の第一実施の形態を図１〜図３に基づいて、第二実施の形態を図４に基づいて説明する。
【００１６】
〔第一実施の形態〕
図１は煙感知器のボディ部を取り外した状態の斜視図である。図２は煙感知器の外観を示す斜視図である。図３はカバー部の断面図である。
【００１７】
図１、図２において、煙感知器はボディ部７、基台８、煙検出用光学部９、警報ブザー１０、警報表示灯１１、警報キャンセル用押釦１２、警報キャンセル用引き紐１３を有して構成されている。
【００１８】
ボディ部７は、煙感知器の外郭を形成する一面を開放した箱体である。側面には、煙を内部に導き入れるためのスリット７ａ，７ａ…が複数設けられている。該スリット７ａ，７ａ…は、ボディ部７の正面部７ｄに対して略直交する方向に延びた長孔である。なお、このスリット７ａ，７ａ…は、正面部７ｄに対して直交するものに限られず、平行であっても、また所定の角度を有しているものであってもよい。
【００１９】
また、ボディ部７の中央部には、ボディ部７と基台８とを組み付けたときに煙検出用光学部９が配置されるようになる光学室用空間７ｂがあり、該光学室用空間７ｂの周囲には８枚の空気導入板１４ａ，１４ｂ，…１４ｈが設けてある。
【００２０】
空気導入板１４ａ，１４ｂ，…１４ｈは、光学室用空間７ｂからボディ部７の四方の内側面に向けて放射状に、ボディ部７の正面部７ｄに対しては垂直に設けられた板体である。また図３に示すように空気導入板１４ａ，１４ｃ，１４ｅ，１４ｇは各内側面に対して垂直に設けてあり、空気導入板１４ｂ，１４ｄ，１４ｆ，１４ｈは各内側面とは４５度の角度をなすようになされている。そして、煙感知器を立面に相当する壁面に取り付けた場合に、煙検出用光学部９の上方に位置する空気導入板１４ａの基端部周辺のボディ部７の側面部分Ａにはスリットを設けていないようにしてある。このスリットを設けていない側面部分Ａの長さは、空気導入板１４ａの両側の空気導入板１４ｈ，１４ｂの先端部間の幅Ｌと同等かやや長いものとしている。
【００２１】
基台８は、ボディ部７の開口部分と嵌合する大きさの大略板体であり、ボディ部７に臨む面に煙検出用光学部９、警報ブザー１０、警報表示灯１１、警報キャンセル用押釦１２、が配設されており、また一側面からは警報キャンセル用引き紐１３が引き出されている。
【００２２】
煙検出用光学部９は、基台８の略中央に配設されており、基台８がボディ部７に組み付けられたときボディ部７の光学室用空間７ｂに位置するものであり、流入した空気の煙濃度を計測するものである。煙検出用光学部９は大略筒体の防虫網９ａ及び該防虫網９ａに内設される光学ブロックより構成されている。光学ブロックは、空気は流入できるが光は内部に差し込まない構造となっている暗室及び、暗室内に設けられた発光ダイオードとフォトダイオードとよりなる。発光ダイオードとフォトダイオードとは光軸をずらして配置されており、フォトダイオードは、外部から暗室内に侵入した煙によって乱反射した発光ダイオードの光を受け、該発光ダイオードが受光量により煙濃度を計測するようになされている。
【００２３】
警報ブザー１１は基台８に配設され、煙検出用光学部９の計測する煙濃度が一定濃度以上であれば、鳴動して周囲に煙が発生していることを報知するものである。
【００２４】
警報表示灯１１は基台８に配設され、ＬＥＤ等で構成されており、煙検出用光学部９の計測する煙濃度が一定濃度以上であれば、点灯して周囲に煙が発生していることを報知するものである。
【００２５】
警報キャンセル用押釦１２及び警報キャンセル用引き紐１３は、警報ブザー１０の鳴動を停止させ、警報表示灯１１を消灯させるものである。警報キャンセル用押釦１２及び警報キャンセル用引き紐１３は、煙感知器が誤発報したとき、あるいは煙感知器の点検時等に使用される。
【００２６】
以上のようにして構成した煙感知器にあっては、煙検出用光学部９がボディ部７内部に設けてあるので、従来の技術で説明したところの煙感知器のように室内の塵埃が煙検出用光学部に直接侵入するということがない。
【００２７】
一方、ボディ部７の四方側面にはスリット７ａ，７ａ…が設けてあるため、外部の空気をボディ部７内の煙検出用光学部９まで導き入れることができ、煙検出用光学部９が煙濃度を検出しにくくなるということがない。又、空気導入板１４ａ，１４ｂ，…１４ｈにより、外部の空気はより一層煙検出用光学部９まで導き入れられる。
【００２８】
また、煙感知器を壁面に取り付けた場合に上方に位置する空気導入板１４ａの基端部周辺のボディ部７の側面部分Ａにはスリットを設けていないようにしてあるので、上方から舞い降りる塵埃が直接煙検出用光学部９に堆積する可能性を低減することができる。
【００２９】
更に、ボディ部７の正面から煙検出用光学部が露出していないので、煙感知器の外観が好ましいものとなる。
【００３０】
〔第二実施の形態〕
図４はボディ部の断面図である。なお、図４においては前述の第一実施の形態で説明したところの煙感知器と同等の箇所には同じ符号を付してあるので、同等の箇所の詳細な説明は省略する。
【００３１】
図４に示す本実施の形態の煙感知器が、前述の第一実施の形態で説明したところの煙感知器と異なり特徴となるのは次の構成である。
【００３２】
即ち、前記各スリット１５を構成するボディ部側面の両面の開口部１５ａ，１５ｂのうち、ボディ部の外側面の開口部１５ａについて、開口部縁部のうち煙検出用光学部９から遠い部分をさらに遠ざかる方向に拡大して該開口部の開口面積を大きくした構成である。
【００３３】
従って、スリット１５，１５…は各々断面が略台形状となり、例えば図４中Ｂの方向からＤ部分のスリット１５を見た場合のスリット１５の開口面積と、Ｃの方向からＤ部分のスリット１５を見た場合のスリット１５の開口面積とは略等しいものとなる。よって、Ｂの方向から流れる気流であってもＣの方向から流れる気流であっても、略同等の流量の気流をボディ部７内に流入させることができる。
【００３４】
なお、本第二実施の形態においては、前記各スリット１５を構成するボディ部側面の両面の開口部１５ａ，１５ｂのうち、ボディ部の内側面の開口部１５ｂについては拡大していないが、これに限られるものではなく、開口部１５ｂの縁部のうち煙検出用光学部９に近い部分をさらに近付ける方向に拡大して該開口部の開口面積を大きくしてもよい。このように構成すると、図４に示した方向からの気流のようなボディ部７の側面に対して斜めから流れる気流を、より内部に流入しやすくすることができる。
【００３５】
【発明の効果】
本発明の煙感知器は上述のように構成してあるから、請求項１記載の発明にあっては、煙検出用光学部をボディ部に内設するとともに、スリットと煙導入板とが、煙感知器に向けて流れる気流をボディ部内部に導き入れて、煙感知器用光学部に至らせるので、立壁面に取り付けた場合であっても、直接舞い降りた塵埃が煙感知用光学部内に侵入する可能性が低く、よって誤発報を低減することができる煙感知器を提供できるという効果を奏する。
【００３６】
請求項２記載の発明にあっては、煙感知器を立面に取り付けた場合に前記煙検出用光学部の上方に位置するボディ部側面であって煙検出用光学部の上方に位置する複数の煙導入板の煙検出用光学部に近接する側の一端間の隙間に重合する部分以外の、ボディ部側面に設けたので、立壁面に取り付けた場合であっても、直接舞い降りた塵埃が煙感知用光学部内に侵入する可能性がより低く、よってより誤発報を低減することができる煙感知器を提供できるという効果を奏する。
【００３７】
請求項３記載の発明にあっては、各スリットを構成するボディ部側面の両側開口部のうち、ボディ部の外側面の開口部について、開口部縁部のうち煙検出用光学部から遠い部分をさらに遠ざかる方向に拡大して該開口部を大きくしたので、煙感知器のボディ部の側面に対して斜めに流れる気流であっても、該側面に対して垂直に流れる気流と略同等の流量の気流を、ボディ部内に流入させることができ、よって煙検出用光学部の検知感度をさほど低下させることのない煙感知器を提供できるという効果を奏する。
【図面の簡単な説明】
【図１】本発明の煙感知器の一構成例のボディ部を取り外した状態の斜視図である。
【図２】煙感知器の外観を示す斜視図である。
【図３】カバー部の断面図である。
【図４】本発明の煙感知器の他の構成例のカバー部の断面図である。
【図５】従来の技術の煙感知器の外観を示す斜視図である。
【符号の説明】
７      ボディ部
９      煙検出用光学部
７ａ    スリット
１４ａ  煙導入板
１４ｂ  煙導入板
１４ｃ  煙導入板
１４ｄ  煙導入板
１４ｅ  煙導入板
１４ｆ  煙導入板
１４ｇ  煙導入板
１４ｈ  煙導入板
１５    スリット
１５ａ  開口部
【図１】
0003612922.tif 000002
【図２】
0003612922.tif 000003
【図３】
0003612922.tif 000004
【図４】
0003612922.tif 000005
【図５】
0003612922.tif 000006